(57)【特許請求の範囲】
【請求項１】
燃料ガスと酸化剤ガスとを用いて電力と熱を発生させる燃料電池と、
前記燃料電池で発生した熱を回収する冷却水を循環する冷却水循環路と、
前記冷却水循環路を通して前記燃料電池に冷却水を循環させる冷却水循環ポンプと、
前記冷却水の熱を湯水に熱交換する熱交換手段と、
前記熱交換手段で熱交換した湯水を貯える貯湯槽と、
前記熱交換手段から熱を回収する湯水を循環する貯湯水循環路と、
前記貯湯水循環路を通して前記貯湯槽の湯水を前記熱交換手段に循環させる貯湯水循環ポンプと、
前記貯湯槽の湯水を再加熱する再加熱手段と、
前記再加熱手段により再加熱した湯水を前記貯湯槽に帰還させる再加熱水帰還路と、
前記貯湯槽の湯水を前記再加熱手段に送り、前記再加熱手段から前記再加熱水帰還路を通して前記貯湯槽に戻す再加熱水帰還ポンプと、
前記貯湯槽の湯水熱量を検知する残存熱量検知手段と、
起動時に、前記冷却水循環ポンプ及び前記貯湯水循環ポンプを動作させて、前記貯湯槽からの湯水を用いて前記燃料電池を加温するよう制御する制御装置と、
を備え、
前記制御装置は、発電終了後、前記残存熱量検知手段が検知する残存熱量が、起動時に前記燃料電池を昇温するため必要な熱量を下回る場合、前記再加熱手段および前記再加熱水帰還ポンプを動作させ、前記再加熱手段および前記再加熱水帰還ポンプの動作時間が所定の時間を超えた場合、その動作を停止させる燃料電池発電システム。
【請求項２】
前記制御装置は、前記燃料電池の運転を行うか否かを設定する入力設定手段を備え、前記入力設定手段の設定が運転を行わない設定の場合、前記再加熱手段および前記再加熱水帰還ポンプを動作させない請求項１記載の燃料電池発電システム。
【請求項３】
燃料ガスに水素を、かつ、酸化剤ガスに酸素を用いて電力と熱を発生させる請求項１又は２記載の燃料電池発電システム。
【請求項４】
燃料ガスと酸化剤ガスとを用いて電力と熱を発生させる燃料電池と、
前記燃料電池で発生した熱を回収する冷却水を循環する冷却水循環路と、
前記冷却水の熱を湯水に熱交換する熱交換手段と、
前記熱交換手段で熱交換した湯水を貯える貯湯槽と、
前記熱交換手段から熱を回収する前記貯湯槽の湯水を循環する貯湯水循環路と、
前記貯湯槽の湯水を再加熱する再加熱手段と、
を備える燃料電池発電システムの運転方法であって、
起動時に、前記冷却水循環路の冷却水を循環させ、かつ、前記貯湯水循環路の湯水を循環させて、前記貯湯槽からの湯水を用いて前記燃料電池を加温する工程と、
前記燃料ガスと前記酸化剤ガスとを前記燃料電池に供給して発電する工程と、
前記燃料電池の発電を終了する工程と、
発電終了後、前記貯湯槽の残存熱量が、起動時に前記燃料電池を昇温するため必要な熱量を下回る場合、前記貯湯槽の湯水を再加熱する工程と、
前記再加熱の時間が所定の時間を超えた場合、再加熱を停止する工程と、
を備える燃料電池発電システムの運転方法。
【発明の詳細な説明】
【技術分野】
【０００１】
本発明は、電力および熱を発生させる燃料電池発電システムおよびその運転方法に関するものである。
【背景技術】
【０００２】
燃料電池は、燃料ガスと酸化剤ガスを反応させて発電し、一方で、電力と同時に熱も発生するものである。燃料電池発電システムは、この発生した電力および熱を、家庭電化機器などの電力負荷や、シャワー給湯などの熱負荷からなる外部負荷に供給するものである（例えば特許文献１参照）。
【０００３】
さらに、近年では、発電時の廃熱により生成した湯水を一度は貯湯層に貯め、次回起動時に貯湯層から高温の湯水を抜き出して燃料電池を加温する構成も提案されており、以下、その構成について説明する。
【０００４】
図６は、従来この種の燃料電池発電システムのシステムブロック図である。
【０００５】
燃料生成器１は、外部より供給された天然ガスなどの原料を水蒸気雰囲気下で加熱して水素リッチな燃料ガスを生成する。燃料電池２には、燃料生成器１により生成された燃料ガスおよびブロア３にて空気などの酸化剤ガスが供給される。燃料電池２で発生した直流電流は図示はしないがインバータで交流電流に変換された後、商用電源と系統連系して外部電力負荷４に供給される。
【０００６】
他方、燃料電池２で発生した熱は、以下のようにして給湯や暖房などの外部熱負荷５に供給される。
【０００７】
冷却水循環ポンプ６は、燃料電池２で発生した熱を回収するために、冷却水循環路７を通して燃料電池２に冷却水を循環させ、熱交換手段８にて放熱する。貯湯水循環ポンプ９は、あらかじめ（市水にて）満水状態にある貯湯槽１０底部より貯湯槽内の一番温度の低い水を抜き出し、貯湯水循環路１１を通して熱交換手段８から熱を回収し、貯湯槽１０の上部へ帰還させる。これにより、貯湯槽１０内部の水は加熱される。
【０００８】
このようにして得られた湯水（上限が６０℃程度）は、給湯や暖房などの外部熱負荷５に利用されるが、使用者の温度設定により再加熱手段（バックアップ給湯器）１２を用いて（例えば沸騰水など）より高温の湯水を熱負荷５へ供給可能である。
【０００９】
なお、制御装置１３は、マイコンなどからなる制御手段１４などから構成し、電力負荷検知手段１５により外部電力負荷４の消費電力を検知しつつ、燃料生成器１、燃料電池２、ブロア３、冷却水循環ポンプ６、貯湯水循環ポンプ９などを逐次制御するものである。
【００１０】
また、残存熱量検知手段１６は貯湯槽１０内部の温度や湯量から残存している熱量を検知するものであり、温度検知手段１７は燃料電池２の温度を検知するものであり、これら残存熱量検知手段１６からの残存熱量や温度検知手段１７からの温度を制御手段１４は常に把握している。
【００１１】
次に、起動時に貯湯槽からの湯水を用いて燃料電池を加温する構成を説明する。
【００１２】
発電運転を終えた後、貯湯槽１０には上部から下部にかけて高温の湯水が十分に満たされており、上記したように使用者が貯湯槽１０上部から湯水を抜き出し再加熱手段１２を
経由して外部熱負荷５で利用可能である。
【００１３】
一方で、次回起動のタイミングで冷え切った燃料電池２を加温する方法として、貯湯水循環ポンプ９を逆転方向に回転動作させることにより図６に示した貯湯水循環路１１の矢印方向とは逆の向きに湯水を循環させ貯湯槽１０上部に貯められた高温の湯水を熱交換手段８へ導き、冷却水循環ポンプ６を動作させて冷却水循環路７により熱交換手段８の熱量は燃料電池２に供給され加温が可能となる。
【００１４】
次に、上記構成において動作を図７のフローチャートを用いて説明する。
【００１５】
燃料電池発電システムを設置し、燃料生成器１へ原料（例えば都市ガスなど）と水を供給する配管工事を終え、図６の貯湯槽１０を（市水にて）満水にしてから、制御装置１３に商用電源の通電を行うと制御手段（マイコン）１４が起動してシステム動作を開始する。
【００１６】
図７のフローチャートに示すように、システム動作を開始すると、Ｓ１にて燃料電池２は待機状態から起動行程を開始し、Ｓ２にて冷え切った燃料電池２を４５℃程度（燃料ガスと酸化剤ガスを送り込むと発電可能な温度）まで加温する処理を開始する。
【００１７】
具体的には、貯湯水循環ポンプ９を逆転方向に回転動作させることにより貯湯槽１０の上部に溜まっている湯水を抜き出し、図６に示した貯湯水循環路１１の矢印方向とは逆の向きに湯水を循環させ貯湯槽１０上部に貯められた高温の湯水を熱交換手段８へ導き、一方で、冷却水循環ポンプ６を動作させて冷却水循環路７により熱交換手段８の熱量を徐々に燃料電池２へ伝えることにより加温する処理を開始する。
【００１８】
Ｓ３にて温度検知手段１７が加温完了の温度である４５℃を検知すると、Ｓ４にて加温処理を終了し、Ｓ５にて燃料生成器１が燃料ガスを生成可能な状態になった時点で起動行程を終え、Ｓ６にて発電処理（燃料ガスと空気を燃料電池２へ供給して発電を行う処理）を開始する。
【００１９】
ここでは発電を停止する方法の詳細は避けるが、その後、Ｓ７にて発電終了処理（発電を停止するのと平行して燃料電池２が高温である場合には冷却を行う後始末の処理）を行った後、一連のシステム動作は終了する。なお、Ｓ７を終えてから再び運転を開始する場合にはＳ１に戻ると考えて良い。
【特許文献１】特開２００４−５３１２０号公報
【発明の開示】
【発明が解決しようとする課題】
【００２０】
しかしながら、前記従来の構成では、発電運転を終えた直後は、貯湯槽には上部から下部にかけて高温の湯水が十分に満たされており次回起動のタイミングで冷え切った燃料電池を加温するために要する熱量を十分に確保しているが、冬場で２〜３日を経過すると貯湯槽の放熱ロスによりいわゆる湯切れが発生して、場合によっては次回起動のタイミングで貯湯槽の湯水による燃料電池の加温処理が出来ないと言う課題を有していた。
【００２１】
本発明は、前記従来の課題を解決するもので、発電運転を開始するタイミングが不定な燃料電池発電システムの使用環境下において、貯湯槽に貯めた湯水を用いて次回起動時に安定した燃料電池の加温が可能な燃料電池発電システムを提供することを目的とする。
【課題を解決するための手段】
【００２２】
前記従来の課題を解決するために、本発明の燃料電池発電システムは、発電終了後の待機状態にて、残存熱量検知手段からの残存熱量が次回発電起動時に燃料電池を加温するのに必要な加温熱量を下回る場合、再加熱手段および再加熱水帰還ポンプを動作させて貯湯槽の冷えた湯水を再加熱して再加熱水帰還路経由で貯湯槽へ戻すことにより、貯湯槽内部の残存熱量が加温熱量より多い状態に保つようにし、再加熱手段および再加熱水帰還ポンプの動作時間が所定の時間を超えた場合、その動作を停止させるものである。
【発明の効果】
【００２３】
上記の本発明の燃料電池発電システムによって、発電運転を開始するタイミングが不定な燃料電池発電システムにおいても、常に貯湯槽には加温熱量より多い残存熱量を確保でき、つまり、発電起動時に安定した燃料電池の加温が可能となる。また、発電する環境が極寒であったり、何らかの要因で排熱回収ロスが大きく貯湯槽に湯水が極めて貯まりにく
い場合であっても限度時間を持って再加熱処理を終了することができる。
【発明を実施するための最良の形態】
【００２４】
第１の発明は、燃料ガスと酸化剤ガスとを用いて電力と熱を発生させる燃料電池と、前記燃料電池で発生した熱を回収する冷却水を循環する冷却水循環路と、前記冷却水循環路を通して前記燃料電池に冷却水を循環させる冷却水循環ポンプと、前記冷却水の熱を湯水に熱交換する熱交換手段と、前記熱交換手段で熱交換した湯水を貯える貯湯槽と、前記熱交換手段から熱を回収する湯水を循環する貯湯水循環路と、前記貯湯水循環路を通して前記貯湯槽の湯水を前記熱交換手段に循環させる貯湯水循環ポンプと、前記貯湯槽の湯水を再加熱する再加熱手段と、前記再加熱手段により再加熱した湯水を前記貯湯槽に帰還させる再加熱水帰還路と、前記貯湯槽の湯水を前記再加熱手段に送り、前記再加熱手段から前記再加熱水帰還路を通して前記貯湯槽に戻す再加熱水帰還ポンプと、前記貯湯槽の湯水熱量を検知する残存熱量検知手段と、起動時に、前記冷却水循環ポンプ及び前記貯湯水循環ポンプを動作させて、前記貯湯槽からの湯水を用いて前記燃料電池を加温するよう制御する制御装置と、を備え、前記制御装置は、発電終了後、前記残存熱量検知手段が検知する残存熱量が、起動時に前記燃料電池を昇温するため必要な熱量を下回る場合、前記再加熱手段および前記再加熱水帰還ポンプを動作させ、前記再加熱手段および前記再加熱水帰還ポンプの動作時間が所定の時間を超えた場合、その動作を停止させる。
【００２５】
これによって、発電運転を開始するタイミングが不定な燃料電池発電システムにおいても、常に貯湯槽には加温熱量より多い残存熱量を確保でき、つまり、発電起動時に安定した燃料電池の加温が可能となる。
【００２７】
また、発電する環境が極寒であったり、何らかの要因で排熱回収ロスが大きく貯湯槽に湯水が極めて貯まりにくい場合であっても限度時間を持って再加熱処理を終了することができる。
【００２８】
第２の発明は、特に、第１の発明の燃料電池発電システムにて、制御装置は、前記燃料電池の運転を行うか否かを設定する入力設定手段を備え、前記制御装置は、前記入力設定手段が運転を行わない設定の場合、前記再加熱手段および再加熱水帰還ポンプを動作しない。
【００２９】
これによって、使用者が旅行など長期不在の理由から、あらかじめ燃料電池発電システムの運転を行わない設定にすることで、常に貯湯槽に加温熱量相応の残存熱量を確保するための再加熱をせずに済む。
【００３０】
第３の発明は、特に、第１又は第２の発明の燃料電池発電システムにて、燃料電池は、燃料ガスに水素を、かつ、酸化剤ガスに酸素を用いて電力と熱を発生させることにより、効率の良い燃料電池の発電運転ができる。
【００３１】
第４の発明は、燃料ガスと酸化剤ガスとを用いて電力と熱を発生させる燃料電池と、前記燃料電池で発生した熱を回収する冷却水を循環する冷却水循環路と、前記冷却水の熱を湯水に熱交換する熱交換手段と、前記熱交換手段で熱交換した湯水を貯える貯湯槽と、前記熱交換手段から熱を回収する前記貯湯槽の湯水を循環する貯湯水循環路と、前記貯湯槽の湯水を再加熱する再加熱手段と、を備える燃料電池発電システムの運転方法であって、起動時に、前記冷却水循環路の冷却水を循環させ、かつ、前記貯湯水循環路の湯水を循環させて、前記貯湯槽からの湯水を用いて前記燃料電池を加温する工程と、前記燃料ガスと前記酸化剤ガスとを前記燃料電池に供給して発電する工程と、前記燃料電池の発電を終了する工程と、発電終了後、前記貯湯槽の残存熱量が、起動時に前記燃料電池を昇温するため必要な熱量を下回る場合、前記貯湯槽の湯水を再加熱する工程と、前記再加熱の時間が所定の時間を超えた場合、再加熱を停止する工程と、を備える燃料電池発電システムの運転方法である。
【００３２】
これにより、発電運転を開始するタイミングが不定な燃料電池発電システムにおいても、常に貯湯槽には加温熱量より多い残存熱量を確保でき、つまり、発電起動時に安定した燃料電池の加温が可能となる。また、発電する環境が極寒であったり、何らかの要因で排熱回収ロスが大きく貯湯槽に湯水が極めて貯まりにくい場合であっても限度時間を持って再加熱処理を終了することができる。
【００３４】
以下、本発明の実施の形態について、図面を参照しながら説明する。なお、この実施の形態によって本発明が限定されるものではない。なお、前記背景技術と同じ構成のものは同一符号を付して説明を省略する。
【００３５】
（実施の形態１）
図１は本実施の形態１の燃料電池発電システムのシステムブロック図、図２は制御装置における制御手段の要部動作を示すフローチャートである。
【００３６】
なお、燃料電池発電システムのブロック図にて、１８は再加熱水帰還ポンプ、１９は再加熱手段１２により再加熱した湯水を貯湯槽１０に帰還させる再加熱水帰還路であり、その他は制御装置２０、制御手段２１と表記している以外は従来の構成と同じである。
【００３７】
以上のように構成された燃料電池発電システムについて、以下その動作、作用を説明する。
【００３８】
従来の構成と同様に、燃料電池発電システムを設置し、燃料生成器１へ原料（例えば都市ガスなど）と水を供給する配管工事を終え、図１の貯湯槽１０を（市水にて）満水にしてから、制御装置２０に商用電源の通電を行うと制御手段（マイコン）２１が起動してシステム動作を開始する。
【００３９】
図２のフローチャートに示すように、Ｓ１〜Ｓ７は従来の構成と同じなので説明を省略する。Ｓ７にて発電終了処理（発電を停止するのと平行して燃料電池２が高温である場合には冷却を行う後始末の処理）を行った後に再び運転開始の指令を受け待つ待機状態に移行する。
【００４０】
例えば、この状態で２日ほど経過するうちに貯湯槽１０内の湯水が次第に冷めた場合、Ｓ８にて残存熱量検知手段１６からの残存熱量が次回発電起動時に燃料電池２を加温するのに必要な熱量（加温熱量）を下回ると、Ｓ９にて貯湯水１０内湯水の再加熱を開始する。
【００４１】
具体的には、再加熱水帰還ポンプ１８を動作させると貯湯槽１０上部より湯水が抜き出されて再加熱手段１２（バックアップ給湯器）に送り込まれ再加熱後に再加熱水帰還路１９を経由して貯湯槽１０の中部に戻される。
【００４２】
この再加熱処理は、Ｓ１０にて必要な加温熱量に相当する残存熱量を残存熱量検知手段１６が検知するまで行われ、Ｓ１１にて貯湯槽１０の上部から中部にわたる湯水の再加熱が完了し、次回起動時に燃料電池２の加温に要する熱量は十分に確保される。
【００４３】
Ｓ１２は、待機状態の間は、必要に応じてＳ８〜Ｓ１１までの再加熱処理を行い、常に貯湯槽１０には加温熱量より多い残存熱量を確保している意味合いで記した。
【００４４】
なお、Ｓ１２を終えてから再び運転を開始する場合にはＳ１に戻ると考えて良い。
【００４５】
これにより、発電運転を開始するタイミングが不定な燃料電池発電システムにおいても、常に貯湯槽１０には加温熱量より多い残存熱量を確保でき、つまり、発電起動時に安定した燃料電池２の加温が可能となる。
【００４６】
（実施の形態２）
図３は本実施の形態２の制御装置における制御手段の要部動作を示すフローチャートである。なお、燃料電池発電システムのシステムブロック図は実施の形態１と同じ構成である。
【００４７】
以上のように構成された燃料電池発電システムについて、以下その動作、作用を説明する。
【００４８】
図３のフローチャートに示すように、本発明の実施の形態１からの変更点は、Ｓ１３を追加したものである。つまり、Ｓ９にて貯湯水１０内湯水の再加熱を開始して（貯湯槽１０の大きさ、再加熱手段１２の加熱能力にもよるが）貯湯槽１０の上部から中部にかけて冷めた湯水を再加熱し加温熱量に相当する残存熱量を得るのに十分な限度時間（この例では１時間としている）を経過しても目標の熱量を確保できない場合、Ｓ１３にて強制的に再加熱動作を終了させる。
【００４９】
なお、この場合のシステム動作を終了させると言うことはシステムを再起動すると言うことではない。本実施例ではその後の動作を限定しないが、多くの場合は、再加熱動作を行っても貯湯槽１０内の湯水を加熱できなかったのだから再加熱異常などと称する異常を報知するのが一般的である。
【００５０】
これにより、発電する環境が極寒であったり、何らかの要因で排熱回収ロスが大きく貯湯槽１０に湯水が極めて貯まりにくい場合であっても限度時間を持って再加熱処理を終了することができる。
【００５１】
（実施の形態３）
図４は本実施の形態３の燃料電池発電システムのシステムブロック図、図５は制御装置における制御手段の要部動作を示すフローチャートである。
【００５２】
なお、燃料電池発電システムのブロック図にて、２２は燃料電池の運転を行うか否かを設定する入力設定手段である。その他は制御装置２３、制御手段２４と表記している以外は実施の形態１と同じ構成である。
【００５３】
以上のように構成された燃料電池発電システムについて、以下その動作、作用を説明する。
【００５４】
図５のフローチャートに示すように、本発明の実施の形態１からの変更点は、Ｓ１４を追加したものである。つまり、Ｓ７にて発電終了処理（発電を停止するのと平行して燃料電池２が高温である場合には冷却を行う後始末の処理）を行った後、Ｓ１４にて入力設定手段２２の設定が運転切の場合、システムの状態としては待機状態を維持しつつ、仮に何日も経過し貯湯槽１０内の湯水が冷めてもＳ８〜Ｓ１１の再加熱処理を行わない。
【００５５】
これにより、使用者が旅行など長期不在の理由から、あらかじめ燃料電池発電システムの運転を行わない設定にすることで、常に貯湯槽１０に加温熱量相応の残存熱量を確保するための再加熱をせずに済む。
【００５６】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００５７】
以上のように、本発明にかかる燃料電池発電システムは、制御装置が発電終了後の待機状態にて、残存熱量検知手段からの残存熱量が次回発電起動時に燃料電池を加温するのに必要な加温熱量を下回る場合、再加熱手段を動作させて貯湯槽の冷えた湯水を再加熱して再加熱水帰還路経由で貯湯槽へ戻すことにより、貯湯槽内部の残存熱量が加温熱量より多い状態に保つ。
【００５８】
これによって、発電運転を開始するタイミングが不定な燃料電池発電システムにおいても、常に貯湯槽には加温熱量より多い残存熱量を確保でき、つまり、発電起動時に安定した燃料電池の加温が可能となる。
【００５９】
同様にして、運転と停止を不定期に繰り返す家電製品などの機器制御に対して次回の運転起動時に必要な湯水や熱量などのエネルギーを常に確保しておくことで、次回運転時に安定した制御動作を開始するなどの用途にも適用できる。
【図面の簡単な説明】
【００６０】
【図１】本発明の実施の形態１の燃料電池発電システムのシステムブロック図
【図２】本発明の実施の形態１の制御手段２１の動作フロ−チャ−ト
【図３】本発明の実施の形態２の制御手段２１の動作フロ−チャ−ト
【図４】本発明の実施の形態３の燃料電池発電システムのシステムブロック図
【図５】本発明の実施の形態３の制御手段２４の動作フロ−チャ−ト
【図６】従来の燃料電池発電システムのシステムブロック図
【図７】従来の燃料電池発電システムの制御手段１４の動作フロ−チャ−ト
【符号の説明】
【００６１】
１  燃料生成器
２  燃料電池
３  ブロア（送風機）
４  外部電力負荷
５  外部熱負荷
６  冷却水循環ポンプ
７  冷却水循環路
８  熱交換手段
９  貯湯水循環ポンプ
１０  貯湯槽
１１  貯湯水循環路
１２  再加熱手段
１６  残存熱量検知手段
１８  再加熱水帰還ポンプ
１９  再加熱水帰還路
２０、２３  制御装置
２１、２４  制御手段
２２  入力設定手段
【図１】
0005162842.tif 000002
【図２】
0005162842.tif 000003
【図３】
0005162842.tif 000004
【図４】
0005162842.tif 000005
【図５】
0005162842.tif 000006
【図６】
0005162842.tif 000007
【図７】
0005162842.tif 000008